(57)【要約】  本発明は、収納ケース内に電池モジュールが収納された浸水防止槽を簡単に取付けることができる構造を有する蓄電システムを提供する。  本発明は、複数の電池セルを含む電池モジュールが収納される上方が開口した箱状の浸水防止槽と、前記浸水防止槽を手前側から奥側へ向かって挿入し取り付けられる載置台とを備える蓄電システムにおいて、前記浸水防止槽の少なくとも１つの外壁面の下部には突出部が設けられ、前記載置台の上面の前記浸水防止槽が取り付けられる前記奥側には、前記突出部が固定される固定部材が設けられ、前記固定部材の両端部には、前記浸水防止槽を取り付ける際にスライド移動させる方向と反対側に向かって幅が徐々に広がるように形成され、前記浸水防止槽の位置決めがなされるガイド部材が設けられるものである。
2012102383.tif 000002
【特許請求の範囲】
【請求項１】
複数の電池セルを含む電池モジュールが収納される上方が開口した箱状の浸水防止槽と、
前記浸水防止槽を手前側から奥側へ向って挿入し取り付けられる載置台とを備える蓄電システムにおいて、
前記浸水防止槽の少なくとも１つの外壁面の下部には突出部が設けられ、
前記載置台の上面の前記浸水防止槽が取り付けられる前記奥側には、前記突出部が固定される固定部材が設けられ、
前記固定部材の両端部には、前記浸水防止槽を取り付ける際にスライド移動させる方向と反対側に向かって幅が徐々に広がるように形成され、前記浸水防止槽の位置決めがなされるガイド部材が設けられていることを特徴とする蓄電システム。
【請求項２】
前記載置台は、収納ケース内に配置されていることを特徴とする請求項１に記載の蓄電システム。
【請求項３】
前記突出部は、少なくとも前記浸水防止槽の前記突出部が形成される面の両端部を含んで形成されていることを特徴とする請求項１に記載の蓄電システム。
【請求項４】
前記突出部は、中空の角状部材で形成されていることを特徴とする請求項１又は３に記載の浸水防止槽の蓄電システム。
【請求項５】
前記固定部材は、前記突出部が嵌まる大きさの空間を有し、前記突出部が挿入される側が開口し、前記載置台を底面とした箱状体であることを特徴とする請求子１〜４のいずれかに記載の蓄電システム。
【請求項６】
前記浸水防止槽には、前記固定部材が設けられた側と反対側の外壁面の下部に、前記載置台と平行に少なくとも１つの固定治具が形成され、
前記固定治具には少なくとも１つの貫通孔が形成され、
前記載置台には、前記浸水防止槽が所定位置に載置されたときに前記貫通孔と対応する位置に固定孔が形成されており、
前記貫通孔と前記固定孔とが結合部材により結合されていることを特徴とする請求項１に記載の蓄電システム。
【請求項７】
前記結合部材は、螺合により結合させることができるものであることを特徴とする請求項５に記載の蓄電システム。
【請求項８】
前記載置台の下側には、所定の高さの脚部が設けられていることを特徴とする請求項１、５又は７に記載の蓄電システム。
【請求項９】
前記浸水防止槽には、所定の厚さを有する三角形の板状に形成された案内部材が、前記浸水防止槽の内壁に沿って、複数枚設けられていることを特徴とする請求項１又は６に記載の蓄電システム。
【発明の詳細な説明】
【技術分野】
【０００１】
本発明は、収容ケース内に電池モジュールが収納された浸水防止槽の取付け構造を有する蓄電システムに関する。
【背景技術】
【０００２】
従来、商用電源と各負荷との系統の間に充放電可能なリチウムイオン電池等で構成された電池モジュールが組み込まれた蓄電システムを接続し、この蓄電システムを通信システムやコンピュータシステム等の停電時におけるバックアップ電源として使用することが行われていた。また、近年に至り、大型の太陽電池、風力発電機、波力発電機等、発電量の変動が大きい分散電源によって発電された電力を蓄電システムに貯蔵し、直交変換して商用電源に供給することが行われるようになってきた。このようなシステムを採用すると、この供給を各負荷における電力消費のピークにあわせると、商用電源の電力の使用量の平準化が図れるようになるとともに、余剰の電力を外部電源に供給することもできるようになる。【０００３】
このようなシステムは、例えば、無停電電源装置の発明として下記特許文献１に開示されている。下記特許文献１に記載の無停電電源装置では、上下方向の中央部に水平に配置された隔壁によって、上部の制御室と、下部の電源室とに分割されたハウジングを備え、ハウジングの下部に設けられた電源室内には、組電池ユニットが収容されており、上部の制御室内には、組電池ユニットを制御する電源制御装置、充電回路、インバータ回路等が設けられた構成を備えている。【０００４】
また、下記特許文献２には、小形にしてかつ安価な常時商用給電方式の無停電電源装置の発明が開示されている。下記特許文献２に記載の無停電電源装置では、商用電源電圧を変圧する変圧器と、電力を蓄える蓄電池と、停電時に前記蓄電池の電力を交流に変換するインバータとを備え、前記変圧器、蓄電池およびインバータが、装置ケーシングの内部に配設されている常時商用給電方式の無停電電源装置において、前記蓄電池を装置ケーシングの床面上に配置するとともに、この蓄電池の上部に、前記インバータを構成する複数のスイッチング素子を搭載した基板を配置し、かつこの基板の上部に前記変圧器を配置するようにされている。
【先行技術文献】
【特許文献】
【０００５】
【特許文献１】特開２００４−０２２３１７号公報
【特許文献２】特開２０００−１８４７５２号公報
【発明の概要】
【発明が解決しようとする課題】
【０００６】
上記特許文献１及び２に代表されるこのようなシステムは、普及につれて限られたスペースに設置できるように、システム全体をコンパクトにする必要がある。さらに、設置スペースの都合上から屋外に設置する場合が多いため、雨水による浸水等の自然環境に対し、電池モジュールを耐水性のある容器、例えば、浸水防止槽に収納するなどの対策が必要となる。【０００７】
しかし、蓄電システムに使用される電池モジュールは重く、その電池モジュールが収容された浸水防止槽も非常に重くなるため、動かし難く、蓄電システムの収納ケース等に浸水防止槽を取り付ける場合、浸水防止槽の奥側の固定用のねじ穴を合わせるのが困難であるという課題がある。これは、蓄電システムのコンパクト化が進むほど、作業員の作業スペースが減るためにより顕著になってくることによるものである。このような課題は、上記特許文献１及び２に記載されているシステムにおいても同様に生じる課題であるが、引用文献１及び２にはこのような課題に対して必要な対策については何も示されていない。【０００８】
そこで、発明者等は、電池モジュールが収納された浸水防止槽の収納ケース内への取付けを効率よく行うことを目的として種々検討を重ねた結果、浸水防止槽の外壁に突出部を設け、この突出部と収納ケースの底部の載置台に設けた固定部材とを、浸水防止槽をスライド移動させ、嵌入し結合させることで、奥側の固定にボルト等を用いることなく前側のみで浸水防止槽の固定を行えること、さらに、固定部材の両端部に突出部をガイドするためのガイド部材を形成することで、ガイド部材に沿って突出部が移動し、浸水防止槽が固定部材との結合を円滑に行えることを見出し、本発明を完成するに至ったものである。【０００９】
すなわち、本発明は、収納ケース内の浸水防止槽が固定される固定部材にガイド部材を設けることで、簡単に浸水防止槽の位置決め及び固定を行うことができる蓄電システムを提供することを目的とする。
【課題を解決するための手段】
【００１０】
上記課題を解決するために、本発明の第１の態様の蓄電システムは、
複数の電池セルを含む電池モジュールが収納される上方が開口した箱状の浸水防止槽と、
前記浸水防止槽を手前側から奥側へ向って挿入して取り付けられる載置台とを備える蓄電システムにおいて、
前記浸水防止槽の少なくとも１つの外壁面の下部には突出部が設けられ、
前記載置台の上面の前記浸水防止槽が取り付けられる前記奥側には、前記突出部が固定される固定部材が設けられ、
前記固定部材の両端部には、前記浸水防止槽が取り付けられる奥側から手前側に向かって幅が徐々に広がるように形成され、前記浸水防止槽の位置決めがなされるガイド部材が設けられていることを特徴とする。【００１１】
また、第２の態様の蓄電システムは、前記第１の態様の蓄電システムにおいて、
前記載置台は、収納ケース内に配置されていることを特徴とする。【００１２】
また、第３の態様の蓄電システムは、前記第１の態様の蓄電システムにおいて、
前記突出部は、少なくとも前記浸水防止槽の前記突出部が形成される面の両端部を含んで形成されていることを特徴とする。【００１３】
また、第４の態様の蓄電システムは、前記第１又は３の態様の蓄電システムにおいて、
前記突出部は、中空の角状部材で形成されていることを特徴とする。【００１４】
また、第５の態様の蓄電システムは、前記第１〜４のいずれかの態様の蓄電システムにおいて、
前記固定部材は、前記突出部が嵌まる大きさの空間を有し、前記突出部が挿入される側が開口し、前記載置台を底面とした箱状体であることを特徴とする。【００１５】
また、第６の態様の蓄電システムは、前記第１の態様の蓄電システムにおいて、
前記浸水防止槽には、前記固定部材が設けられた側と反対側の外壁面の下部に、前記載置台と平行に少なくとも１つの固定治具が形成され、
前記固定治具には少なくとも１つの貫通孔が形成され、
前記載置台には、前記浸水防止槽が所定位置に載置されたときに前記貫通孔と対応する位置に固定孔が形成されており、
前記貫通孔と前記固定孔とが結合部材により結合されていることを特徴とする。【００１６】
また、第７の態様の蓄電システムは、前記第５の態様の蓄電システムにおいて、
前記結合部材は、螺合により結合させることができるものであることを特徴とする。【００１７】
また、第８の態様の蓄電システムは、前記第５又は７の態様の蓄電システムにおいて、
前記載置台の下側には、所定の高さの脚部が設けられていることを特徴とする。【００１８】
また、第９の態様の蓄電システムは、前記第１又は６の態様の蓄電システムにおいて、
前記浸水防止槽には、所定の厚さを有する三角形の板状に形成された案内部材が、前記浸水防止槽の内壁に沿って、複数枚設けられていることを特徴とする。
【発明の効果】
【００１９】
従来、電池モジュールが収納される浸水防止槽は、浸水防止槽が載置台の所定の位置に載置された後、ねじ等を用いて載置台の所定の位置に固定されている。しかし、浸水防止槽は、電池モジュールが収納されているために非常に重いので、動かし難く、ねじ穴等の位置合わせ行うことが困難である。そこで、本発明の第１の態様の蓄電システムにおいては、載置台上において浸水防止槽を手前側から奥側へ向ってスライドさせて移動させ、浸水防止槽に形成された突出部と載置台に形成された固定部材とを嵌合させることによって結合させるようにしているので、浸水防止槽をねじ等を用いずに固定することができるようになる。さらに、載置台上に形成された固定部材には、その両端部に浸水防止槽の位置決めがなされるガイド部材が形成されているため、浸水防止槽の突出部を載置台上の固定部材に向けて移動させたとき、固定部材との位置関係がずれていたとしても、ガイド部材に突出部が接触した際にそのまま浸水防止槽を押し込むことで、突出部はガイド部材に沿って移動することができ、その結果、突出部を固定部材とずれることなく嵌合させて結合させることができるようになる。そのため、本発明の第１の態様の蓄電システムによれば、重い浸水防止槽の載置台への取付けを効率よく、簡単に行うことができるようになる。なお、本発明における蓄電システムには、電池モジュールだけでなく、各種制御回路等が含まれていてもよい。【００２０】
載置台が収納ケース内に配置されていると、蓄電システムに高電圧部分が存在していても、使用時には高電圧部分が露出しないようにすることができ、安全性が良好となるが、スペースが狭くなるために浸水防止槽が載置された奥側へはよりアクセスし難くなるので作業員が作業し難くなる。第２の態様の蓄電システムによれば、たとえ浸水防止槽が載置された奥側へのアクセスがし難くても、浸水防止槽を単に載置台上においてスライドさせて移動させるだけで、浸水防止槽に形成された突出部と載置台に形成された固定部材とを嵌合させることによって結合させることができるので、上記本発明の第１の態様の効果がより顕著に奏されるようになる。【００２１】
第３の態様の蓄電システムによれば、少なくとも浸水防止槽の突出部が形成される面の両端部を含んで突出部が形成され、載置台には、この突出部に対応するように固定部材が形成されているので、突出部が浸水防止槽の幅に合わせて形成されていれば、浸水防止槽の幅全体を固定することができ、確実に浸水防止層を載置台に固定することが可能となり、しかも、浸水防止槽の両端部にのみ形成されていれば、上記効果を奏しつつ軽量化することができ、製造コストを低くすることもできる。【００２２】
第４の態様の蓄電システムによれば、突出部は、中空の角材で形成されているので、軽量に形成でき且つ使用材料を減らし安価に製造することができるとともに、角材であるため安定した固定を確実に行うことができる。【００２３】
第５の態様の蓄電システムによれば、浸水防止槽の突出部は、載置台及び固定部材により、浸水防止槽と接続されている部分以外のすべての部分が固定されるので、より確実に固定することができるようになる。また、突出部の上面も固定部材によって固定されるので、浸水防止槽の縦方向の動きも規制することができ、例えば地震等による縦方向の振動にも耐えることができるようになる。【００２４】
第６の態様の蓄電システムにおいては、載置台に浸水防止槽を固定するために、奥側は突出部を固定部材に挿入させることで結合させ、その反対側、すなわち手前側は浸水防止槽に形成された固定治具に形成された貫通孔と載置台に形成された固定孔とを結合部材を用いて結合させることができる。そのため、第６の態様の蓄電システムによれば、手前側の固定は容易に行うことができ、しかも、載置台と浸水防止槽とは、収納ケースの奥側と正面の両側で結合させているので、両者間の結合強度が強くなる。【００２５】
第５の態様の蓄電システムによれば、浸水防止槽と載置台の固定をねじやボルト等で行えるので、両者の固定作業を簡単かつ容易に行うことができる。【００２６】
第８の態様の蓄電システムによれば、載置台の下側に脚部が設けられ、載置台が地上から離れているので、例えばボルトとナット等の結合部材を取り付けるための作業空間が得られるので、作業がやり易くなる。【００２７】
第９の態様の蓄電システムによれば、浸水防止槽の所定の位置に蓄電モジュールが収納されるときに、電池モジュールが案内部材に案内されることで、容易に所定の位置に設置させることができる。
【図面の簡単な説明】
【００２８】
【図１】実施形態に係る蓄電システムの前面板材を取り外した状態の斜視図である。
【図２】実施形態に係る蓄電システムの収納ケースの前後左右及び上部の板材を取り除いた斜視図である。
【図３】図３Ａは載置台の斜視図であり、図３Ｂは図３ＡのIIIＢ部の拡大図であり、図３Ｃは図３ＡのIIIＣ部の拡大図である。
【図４】図４Ａは浸水防止槽の正面斜視図であり、図４Ｂは背面斜視図であり、図４Ｃは、浸水防止槽に形成された突出部の変形例を示した斜視図である。
【図５】図５Ａは組電池が収容された浸水防止槽を載置台に載せた状態を示した斜視図であり、図５Ｂは浸水防止槽を載置台の所定位置に移動させた状態を示した斜視図である。
【図６】図６Ａ〜図６Ｆは、載置台の所定位置に浸水防止槽を取り付ける状態を示した概略図である。
【発明を実施するための形態】
【００２９】
以下、本発明を実施するための形態について、実施形態及び図面を参照しながら詳細に説明する。ただし、以下に示す実施形態は、本発明の技術思想を具体化するための蓄電システムの一例を説明するものであって、本発明をこの実施形態に記載された蓄電システムに特定することを意図するものではなく、本発明は特許請求の範囲に含まれるその他の実施形態のものにも等しく適応し得るものである。なお、交流−直流間の相互変換装置としてパワーコンディショナを用いた場合について説明する。
【００３０】
［実施形態］
図１〜図６を参照して本実施形態の蓄電システムの構成について説明する。本実施形態の蓄電システム１０は、図１、図２に示すように、パワーコンディショナ１９、制御部２０、複数の電池モジュール１７ａをカバー体１８で覆って一体とした組電池１７及び組電池１７が収容される浸水防止槽１４を有し、これらが１つの収納ケース１１内に収納された構成をしている。この蓄電システム１０は、例えば、一般家庭に供給される商用電源と家電製品等の負荷との間に接続され、停電時等のバックアップ電源や補助電力として、さらには余剰の電力を商用電源に供給するために使用することも可能である。なお、各家庭に太陽電池システムやマイクロ風力発電機等の家庭用分散電源が設けられている場合には、これらの家庭用分散電源も蓄電システム１０に接続してもよいものである。
【００３１】
以下、実施形態の蓄電システム１０の各構成について説明する。収納ケース１１は、図１〜図３に示すように、所定の高さを有し底部に設けられた所定の厚さを有する矩形状の載置台１２と、この載置台１２の周囲に取り付けられる所定の面積を有する板状体で形成された前面板材（図示省略）、後面板材１１ｂ、両側面材１１ｃ及び１１ｄと、これらの最上部に取り付けられる上面板材１１ｅとで構成されている。なお、説明を容易にするため、図１では、前面板材の図示を省略している。
【００３２】
また、実施形態の載置台１２には、収納ケース１１内へ雨水等の浸水を抑制できるように所定高さの脚部１２ａが設けられている。また、載置台１２の周囲には、収納ケース１１の前面板材、後面板材１１ｂ、両側面板材１１ｃ及び１１ｄを取り付けるための溝（図示省略）が形成されており、さらに、載置台１２の四隅には、上面板材１１ｅが載置される柱体１２ｆが立設されている。
【００３３】
また、図３に示すように収納ケース１１の後面板材１１ｂが取り付けられる側の載置台１２の表面には、固定部材１３が設けられている。この固定部材１３は、後述する浸水防止槽１４を載置台１２上に取り付ける際に、浸水防止槽１４を位置決め固定させるために用いられるものである。固定部材１３は、所定長さを有し断面がＬ字状で両端が矩形状の板体で塞がれた柱状体で形成された、後述する浸水防止槽１４に形成された突出部１５が嵌入され固定部１３ａと、固定部１３ａの両側壁部１３ｂ、１３ｃから延設され固定部材１３を載置台１２にねじ等を用いて固定される固定片１３ｄと、固定部１３ａの両側壁部１３ｂ、１３ｃから延設されたガイド部材１３ｅとで構成されている。
【００３４】
そして固定部材１３は、固定部１３ａが載置台１２に固定されたとき収納ケース１１の前面板材側に開口１３ｆが設けられるように取り付けられ、両固定片１３ｄ、１３ｄの載置台１２と接する部分には孔１３ｄ１が設けられ、この孔１３ｄ１にねじ等を貫通させ固定部材１３は載置台１２に固定される。また、ガイド部材１３ｅは、開口１３ｆが開いている側の両側壁部１３ｂ、１３ｃに形成され、両側壁部１３ｂ、１３ｃと略同じ高さの板状体で構成され、固定部材１３の両側壁部１３ｂ、１３ｃの幅から、収納ケース１１の前面板材が取り付けられる側に向かうにしたがって両ガイド部材１３ｅ、１３ｅ間の幅が広がるように設けられている。
【００３５】
また、収納ケース１１の前面板材が取り付けられる側の載置台１２には、浸水防止槽１４をねじ等の結合部材２１を用いて固定するための固定孔１２ｂが２箇所に２個ずつ形成されている。なお、この固定孔の個数については後述する。
【００３６】
収納ケース１１の前面板材及び後面板材１１ｂは、縦長の矩形状をした板体であり、最も面積の広い部分となっている。また、収納ケース１１の両側面板材１１ｃ，１１ｄは、幅の狭い矩形状の板体であり、複数個の通風孔１１ｇが設けられている。収納ケース１１の上面板材１１ｅは、周辺が前面板材及び後面板材１１ｂの長さと両側面板材１１ｃ、１１ｄの幅と略同じ長さを有する矩形状の板体であり、収納ケース１１の上部を覆うように設置される。
【００３７】
また、実施形態の収納ケース１１内には、載置台１２の上側に載置台１２と平行な棚２２が設けられている。なお、実施形態では棚は１枚の場合を示しているが、これに限らず複数枚設けるようにしてもよい。
【００３８】
浸水防止槽１４は、図２及び図４に示すように、上方が開口し、組電池１７が載置可能な大きさの矩形状の底面部１４ｅと、この底面部１４ｅの４方の辺から所定高さ立設された前面部１４ａ、後面部１４ｂ及び左右の両側面部１４ｃ，１４ｄで形成されており、水位がこれら両側面部１４ａ〜１４ｄの有する所定高さを越えるまで、内部への水の浸入を防止するものである。また、浸水防止槽１４の内部には、後述する案内部材１４ｆが２個ずつ対向して設けられている。
【００３９】
また、浸水防止槽１４の前面部１４ａの外側の下部には、載置台１２と固定される固定治具１６が２つ設けられている。この固定治具１６は、載置台１２と平行に設けられた部分に２個の貫通孔１６ａが形成されている。なお、この固定治具１６は２つに限らず１つでも、また３つ以上でもよく、また、固定治具１６に形成される貫通孔１６ａも１つでも、また３つ以上でもよい。そして、前述した、載置台１２に形成された固定孔１２ｂは、固定治具１６及びこれに形成される貫通孔１６ａの個数に対応するように形成されている。
【００４０】
さらに、浸水防止槽１４の後面部１４ｂの外側の下部には、突出部１５が形成されている。この突出部１５は、載置台１２に設けられた固定部材１３と結合され、浸水防止槽１４を位置決め固定する部分である。突出部１５は、浸水防止槽１４の後面部１４ｂの幅と略同じ長さを有し、断面が中空の四角形状の筒状体で形成されている。突出部１５を中空の角材で形成することで、軽量に形成でき且つ使用材料を減らし安価に製造することができる。また、この突出部１５の大きさは、前述した固定部材１３の固定部１３ａの開口１３ｆに嵌合できる大きさに形成されている。なお、図４Ｂに記載の突出部１５は、図４Ｃに記載のように、浸水防止槽１４の後面部１４ｂの外側の下部の両端に突出部１５ａ、１５ｂを設けるようにしてもよい。このようにすることで、突出部１５ａ、１５ｂの製造コストを低くすることができるとともに、軽量化を図ることができる。
【００４１】
次に、図２に示すように組電池１７は、複数の電池モジュール１７ａをカバー体１８で覆い一体としたものであり、蓄電された電荷を負荷へ供給するものである。図３及び図４に示すように、電池モジュール１７ａは、複数の電池セルが配列されて収容された薄型の直方体形状で形成されたものであり、組電池１７は、この電池モジュール１７ａを複数個並べて配列し、カバー体１８で覆うことで１つの直方体形状としたものである。カバー体１８の内部には、それぞれの電池モジュール１７ａを直列ないし並列に接続するような配線がされており、複数の電池モジュール１７ａを一体に働かせることができる。なお、各電池モジュール１７ａに通信回路を形成した場合には、カバー体１８に電池モジュール１７ａの通信回路と制御部２０とを接続する通信インターフェイスを設けることもできる。
【００４２】
パワーコンディショナ１９は、直流と交流とを互いに変換する装置であり、商用電源からの交流電流を各電池モジュール１７ａに充電させるために直流に変換したり、反対に電池モジュール１７ａに充電された直流電流を家電製品等に使用可能な交流電流に変換したりするものである。図１及び図２に示すように、実施形態のパワーコンディショナ１９は、外壁が鉄板等で形成された直方体形状をしており、収納ケース１１の柱体１２ｆの上方に取り付けられている。なお、パワーコンディショナ１９は公知のものであるので、内部構成についての詳細な説明は省略する。また、交流と直流の変換ができれば、パワーコンディショナ１９に限られず、公知のインバータ等を用いることもできる。
【００４３】
制御部２０は、パワーコンディショナ１９を制御して、商用電源や外部電源から組電池１７への充電を行なわせたり、組電池１７に充電されていた電力を負荷や商用電源に供給させたりする装置であり、さらに、組電池１７内の電圧の管理等を行うこともできるようになされている。図１及び図２に示すように、本実施形態の制御部２０は、高さの低い薄型の直方体で形成され、収納ケース１１の棚２２に設置されている。
【００４４】
次に、図１、図５及び図６を参照して、浸水防止槽の載置台への取付けについて説明する。
【００４５】
まず、図５Ａに示すように、組電池１７を浸水防止槽１４の内部に収納させる。この浸水防止槽１４の内壁には、組電池１７が所定の位置に配置されるように案内するための、所定の厚さを有する三角形の板状体に形成された案内部材１４ｆが複数枚設けられている。この案内部材１４ｆは、浸水防止槽１４の底面部１４ｅと接している部分が最も広く、上方に向かうにつれて鋭角に形成されている。この案内部材１４ｆが設けられていることで、重量の大きい組電池１７を案内部材１４ｆに案内されるため、容易に所定の位置に設置させることができる。浸水防止槽に組電池が収納されたら、図５Ａに示すように、浸水防止槽１４を載置台１２上に載せる。なお、図面上では、案内部材１４ｆは三角形の板状体に形成されているが、浸水防止槽１４の底面部１４ｅと接している部分が最も広く、上方に向かうにつれて鋭角に形成されていればよく、例えば台形の形状が考えられる。
【００４６】
次に、組電池１７が収納された浸水防止槽１４を載置台１２に固定させる。この固定方法は、まず、浸水防止槽１４の後面部１４ｂに形成された突出部１５が、載置台１２上に形成された固定部材１３と対向するように載置台上に配置する。その後、浸水防止槽１４を押して載置台１２上をスライドさせて載置台１２の所定の位置に向けて移動させる（図６Ａ及び図６Ｂ参照）。
【００４７】
浸水防止槽１４を移動させると、図６Ｃに示すように、固定部材１３と突出部１５とは、少しずれて接近する場合がある。しかし、このずれを調整しようとしても、浸水防止槽１４は非常に重いので細かい調整をすることは困難である。また、収納ケース１１がコンパクトであると、固定部材１３や突出部１５に対してアクセスする空間もない場合もある。
【００４８】
このとき、図６Ｃ及び図６Ｄに示すように、固定部材１３の両端にガイド部材１３ｅが設けてあるので、浸水防止槽１４にずれが生じたままでもさらに押し込むことによって、突出部１５の両端は、このガイド部材１３ｅに沿って移動し、固定部材１３の開口１３ｆの位置と合うようになる。そして、浸水防止槽１４をさらに押し込むことで、固定部材１３に突出部１５を嵌合させることができる（図５Ｂ、図６Ｅ及び図６Ｆ参照）。
【００４９】
この嵌合により浸水防止槽１４に設けられた突出部１５は、載置台１２及び固定部材１３により、浸水防止槽１４と接続されている部分以外の全ての部分が固定され、突出部１５の上側も固定されるので、浸水防止槽１４の左右方向だけでなく縦方向の動きも規制することができ、例えば地震等による縦方向の振動にも耐えることができるようになる。なお、突出部１５は浸水防止槽１４の固定される面の幅（実施形態では後面部１４ｂの幅）に亘って形成され（図３Ｂ参照）、載置台１２には、この突出部１５に対応するような幅に固定部材１３が形成されることとなるので（図４Ａ参照）、浸水防止槽１４の幅全体を載置台１２に固定することができるようになり、確実に固定することができる。
【００５０】
その後、浸水防止槽１４の前面部１４ａに設けられた固定治具１６と載置台１２に形成された固定孔１２ｂとをねじ等の結合部材２１を用いて固定させる（図１及び図６Ｅ参照）。このようにすることで、手前側の固定を容易に行うことができ、しかも、載置台１２と浸水防止槽１４とは、収納ケース１１の奥側と正面の両側で結合されているので、両者間の結合強度が強くなる。また、結合部材２１にねじやボルト等を用いることで固定をより浸水防止槽と載置台の固定をより容易に行うことができるようになる。さらに、載置台１２の下側に脚部１２ａが設けられていることで、載置台を地上から離しておくことで、例えばボルトとナット等の取り付けの作業を容易に行うことができる。
【００５１】
以上で、浸水防止槽と載置台の固定が完了する。
【符号の説明】
【００５２】
１０…蓄電システム  １１…収納ケース  １２…載置台  １２ｂ…固定孔  １３…固定部
材  １３ａ…固定部  １３ｄ…固定片  １３ｅ…ガイド部材  １３ｆ…開口  １４…浸水
防止槽  １４ｆ…案内部材  １４ａ…前面部  １４ｂ…後面部  １４ｅ…底面部  １５、
１５ｂ、１５ｃ…突出部  １６…固定治具  １７…組電池  １７ａ…電池モジュール  １
８…カバー体  １９…パワーコンディショナ  ２０…制御部  ２１…結合部材  
【図１】
2012102383.tif 000003
【図２】
2012102383.tif 000004
【図３】
2012102383.tif 000005
【図４】
2012102383.tif 000006
【図５】
2012102383.tif 000007
【図６】
2012102383.tif 000008
【国際調査報告】
2012102383.tif 000009
2012102383.tif 000010
2012102383.tif 000011
2012102383.tif 000012